(57)【特許請求の範囲】
【請求項１】
符号化された識別情報を読み込む識別情報読取り手段と、
前記識別情報読取り手段が読み込んだ識別情報を復号化する識別情報復号化手段と、 
前記識別情報復号化手段が復号化した識別情報を複数記憶する識別情報記憶手段と、
前記識別情報記憶手段が記憶する複数の識別情報の数を所定の識別情報管理装置に送信し、その結果、前記識別情報管理装置が受信を許可していることを示す受信許可応答を受信した場合に、前記複数の識別情報を、送信データ番号を付加して前記識別情報管理装置へ一括送信する識別情報送信手段と
を具備することを特徴とする携帯情報端末。
【請求項２】
前記識別情報読取り手段は、前記符号化された識別情報を画像情報として読み込み、
前記識別情報復号化手段は、前記識別情報読取り手段が読み込んだ画像情報より、前記符号化された識別情報を復号化する
ことを特徴とする請求項１に記載の携帯情報端末。
【請求項３】
自端末に設定された電話番号を用いて、所定のプログラム配布装置との認証を行う認証手段と、
前記認証手段が認証したプログラム配布装置から、符号化された識別情報の読取り処理及び該読取った識別情報の復号化処理を実行するためのプログラムを受信するプログラム受信手段と、
をさらに具備し、
前記プログラム受信手段が受信したプログラムを実行して、前記識別情報読取り手段、識別情報復号化手段、識別情報記憶手段、識別情報一括送信手段を構成する
ことを特徴とする請求項１または請求項２に記載の携帯情報端末。
【請求項４】
前記プログラム配布装置と、前記識別情報管理装置は、同一の装置内に構成されることを特徴とする請求項３に記載の携帯情報端末。
【請求項５】
符号化された識別情報を読み込む識別情報読取り手段を具備する携帯情報端末を用いて、前記識別情報を識別情報管理装置でデータベース管理する識別管理システムにおいて、
前記携帯情報端末は、さらに、
前記識別情報読取り手段が読み込んだ識別情報を復号化する識別情報復号化手段と、
前記識別情報復号化手段が復号化した識別情報を複数蓄積する識別情報記憶手段と、
前記識別情報記憶手段が蓄積する複数の識別情報の数を前記識別情報管理装置に送信し、その結果、前記識別情報管理装置が受信を許可していることを示す受信許可応答を受信した場合に、前記複数の識別情報を、送信データ番号を付加して前記識別情報管理装置へ一括送信する識別情報送信手段と、
を具備することを特徴とする識別情報管理システム。
【請求項６】
携帯情報端末が、
符号化された識別情報を読み込み、
前記読み込んだ識別情報を復号化し、
前記復号化した識別情報を複数記憶し、
前記記憶する複数の識別情報の数を所定の識別情報管理装置に送信し、その結果、前記識別情報管理装置が受信を許可していることを示す受信許可応答を受信した場合に、前記複数の識別情報を、送信データ番号を付加して前記識別情報管理装置へ一括送信することを特徴とする識別情報管理方法。
【請求項７】
符号化された識別情報を読み込む処理と、
前記読み込んだ識別情報を復号化する処理と、
前記復号化した識別情報を複数記憶する処理と、
前記記憶する複数の識別情報の数を所定の識別情報管理装置に送信し、その結果、前記識別情報管理装置が受信を許可していることを示す受信許可応答を受信した場合に、前記複数の識別情報を、送信データ番号を付加して前記識別情報管理装置へ一括送信する処理とを携帯情報端末に実行させるための識別情報管理プログラム。
【発明の詳細な説明】
【技術分野】
【０００１】
本発明は、符号化された識別情報を読み込む識別情報読取り装置を具備する携帯情報端末、携帯情報端末を用いて、識別情報をデータベース管理する識別情報管理システム、識別情報管理方法及び識別情報管理プログラムに関する。
【背景技術】
【０００２】
従来、携帯電話、ＰＨＳ（Personal Handy-phone System）、及びＰＤＡ（Personal Digital Assistants）等の携帯情報端末にペンスキャナ等のコード読取手段を接続して、符号列、１次元バーコード、２次元バーコード等のコードを読取って、各種処理を行う技術が存在する。
【０００３】
例えば、特許文献１には、携帯情報端末にコードを読取るコード読取手段を設け、読取ったコードが通信網に接続するサーバ装置に所定の処理を実行させる処理命令情報を送信させる命令を示す処理命令コードであった場合、読取った処理命令コードに基づいて、装置に所定の処理を実行させる処理命令情報を生成し、生成した処理命令情報をサーバ装置へ送信する技術が開示されている。
従って、外出先等の様々な状況下にて通信サービスの提供を受けることができるとともに、マウス及びキーボード等の入力手段を用いて様々な操作を行わなくとも、読取手段により所定のコードを読取るだけで各種操作を代替することができる。
【特許文献１】特開２００２−３５１７６３号公報
【発明の開示】
【発明が解決しようとする課題】
【０００４】
上記した携帯情報端末は、生成した処理命令情報サーバ装置に送信する。この送信処理は、ネットワークと接続された状態で実行することを前提としており、例えば、ネットワークと切断された状態ではエラーを返すように構成されている。
ところが、電波状態が不安定なエリアでは、必ずしも常にネットワークに接続されていることは保証されず、エラーが頻繁に起ってしまうという問題点があった。
【０００５】
本発明は、このような事情を考慮してなされたものであり、その目的は、安定的にコードの読取り処理結果の送信を実行することができる携帯情報端末、識別情報管理システム、識別情報管理方法及び識別情報管理プログラムを提供することにある。
【課題を解決するための手段】
【０００６】
上記した課題を解決するために本発明の携帯端末は、符号化された識別情報を読み込む識別情報読取り手段と、前記識別情報読取り手段が読み込んだ識別情報を復号化する識別情報復号化手段と、 前記識別情報復号化手段が復号化した識別情報を複数記憶する識別情報記憶手段と、前記識別情報記憶手段が記憶する複数の識別情報の数を所定の識別情報管理装置に送信し、その結果、前記識別情報管理装置が受信を許可していることを示す受信許可応答を受信した場合に、前記複数の識別情報を、送信データ番号を付加して前記識別情報管理装置へ一括送信する識別情報送信手段とを具備することを特徴とする。
【０００７】
また、本発明において、前記識別情報読取り手段は、前記符号化された識別情報を画像情報として読み込み、前記識別情報復号化手段は、前記識別情報読取り手段が読み込んだ画像情報より、前記符号化された識別情報を復号化することを特徴とする。
【０００８】
また、本発明において、自端末に設定された電話番号を用いて、所定のプログラム配布装置との認証を行う認証手段と、前記認証手段が認証したプログラム配布装置から、符号化された識別情報の読取り処理及び該読取った識別情報の復号化処理を実行するためのプログラムを受信するプログラム受信手段とをさらに具備し、前記プログラム受信手段が受信したプログラムを実行して、前記識別情報読取り手段、識別情報復号化手段、識別情報記憶手段、識別情報一括送信手段を構成することを特徴とする。
【０００９】
また、本発明において、前記プログラム配布装置と、前記識別情報管理装置は、同一の装置内に構成されることを特徴とする。
【００１０】
上記した課題を解決するために本発明の識別情報管理システムは、符号化された識別情報を読み込む識別情報読取り手段を具備する携帯情報端末を用いて、前記識別情報を識別情報管理装置でデータベース管理する識別管理システムにおいて、前記携帯情報端末は、さらに、前記識別情報読取り手段が読み込んだ識別情報を復号化する識別情報復号化手段と、前記識別情報復号化手段が復号化した識別情報を複数蓄積する識別情報記憶手段と、前記識別情報記憶手段が蓄積する複数の識別情報の数を前記識別情報管理装置に送信し、その結果、前記識別情報管理装置が受信を許可していることを示す受信許可応答を受信した場合に、前記複数の識別情報を、送信データ番号を付加して前記識別情報管理装置へ一括送信する識別情報送信手段と、を具備することを特徴とする。
【００１１】
上記した課題を解決するために本発明の識別情報管理方法は、携帯情報端末が、符号化された識別情報を読み込み、前記読み込んだ識別情報を復号化し、前記復号化した識別情報を複数記憶し、前記記憶する複数の識別情報の数を所定の識別情報管理装置に送信し、その結果、前記識別情報管理装置が受信を許可していることを示す受信許可応答を受信した場合に、前記複数の識別情報を、送信データ番号を付加して前記識別情報管理装置へ一括送信することを特徴とする。
【００１２】
上記した課題を解決するために本発明の識別情報管理プログラムは、符号化された識別情報を読み込む処理と、前記読み込んだ識別情報を復号化する処理と、前記復号化した識別情報を複数記憶する処理と、前記記憶する複数の識別情報の数を所定の識別情報管理装置に送信し、その結果、前記識別情報管理装置が受信を許可していることを示す受信許可応答を受信した場合に、前記複数の識別情報を、送信データ番号を付加して前記識別情報管理装置へ一括送信する処理とを携帯情報端末に実行させることを特徴とする。
【発明の効果】
【００１３】
本発明によれば、携帯情報端末が、符号化された識別情報を読み込み、読み込んだ識別情報を復号化して複数記憶し、記憶した複数の識別情報を一括して所定の識別情報管理装置に送信することで、安定的に識別情報の読取り処理結果を送信することができ、また、識別情報読取りにかかる作業の負荷軽減がはかれる。
更に、符号化された識別情報を画像情報として読み込み、読み込んだ画像情報より、符号化された識別情報を復号化することで、識別情報を画像として処理でき、識別情報の読取り精度の向上がはかれる。
【００１４】
また、本発明によれば、自端末に設定された電話番号を用いて所定のプログラム配布装置との認証を行ない、当該プログラム配布装置から、符号化された識別情報の読取り処理及び該読取った識別情報の復号化処理を実行するためのプログラムを予め受信し、当該受信したプログラムを実行することで、識別情報の読取り処理結果のみを安定して送信でき、識別情報読取りのための作業負荷を軽減した携帯端末を提供することができる。
更に、プログラム配布装置と識別情報管理装置を同一の装置で構成することで、廉価構成の識別情報管理システムを提供することができる。
【発明を実施するための最良の形態】
【００１５】
図１は、本発明の携帯情報端末とプログラム配布装置の関係を説明するために引用した図である。
ここでは、プログラム配布装置は、ＡＳＰ（Application Service Provider）事業者又は得意先のＡＰＬ（Application）サーバ１上に展開され、携帯情報端末２は、後述する得意先、又は病院等の得意先クライアントに提供される。Ｗｅｂブラウザ内蔵のＰＤＡや携帯電話等から構成される携帯情報端末２は、ＡＰＬ事業者によってＡＰＬサーバ１に接続してＷｅｂコンテンツにアクセスし、本発明の識別情報管理プログラム（アプリケーション）をセキュアが保たれた専用回線４を介してダウンロード入手する。
【００１６】
図２は、本発明の識別情報管理方法を実現するビジネスモデル、およびその利用主体間の関係を説明するために引用した図である。
ここでは、本発明の識別情報管理システムが管理する対象物を医療廃棄物とし、得意先又は得意先のクライアントである病院が識別情報管理装置としてのトレースサーバ３を設置管理して、医療廃棄物の追跡管理を行うこととする。そのために、得意先、または得意先のクライアントは、本発明の識別情報管理プログラムがインストールされた、もしくはインストール可能な携帯情報端末２を運搬業者に引き渡す。
【００１７】
また、得意先、または得意先のクライアントである病院側では、予め医療廃棄物に貼付する固体識別ＩＤラベルを生成し、このラベルにバーコードを印刷、あるいはＲＦ−ＩＤタグが貼付されたものを医療廃棄物に貼付すると共に、トレースＤＢに医療廃棄物と固体識別ＩＤを対応付けて登録を行う（紐付け登録）。ここでは、携帯情報端末２としてカメラ付き携帯電話を用いることとし、医療廃棄物に印刷されたＱＲコードを、予めインストールされた識別情報管理プログラムに従い画像で読取り、セキュアが保持された専用回線６経由でトレースサーバ３へ送信する。
そして、トレースサーバ３では、トレースＤＢを更新して運搬状況を追跡管理することになる。
【００１８】
図３は、本発明の携帯情報端末の内部構成を機能展開して示したブロック図である。
本発明の携帯情報端末２を機能的に大別すれば、ＡＰＬ取得部２１と、ＡＰＬ実行部２２と、ＡＰＬ機能部２３で構成される。ＡＰＬ取得部２１は、ＡＰＬサーバ１から本発明の識別情報管理プログラムを取得する機能を持ち、認証部２１１と、プログラム受信部２１２で構成される。
認証部２１１は、自携帯情報端末２に設定された電話番号を用いて、ＡＰＬサーバ１との認証を行う機能を持ち、プログラム受信部２１２は、認証部２１１が認証したＡＰＬサーバ１から、符号化された識別情報の読取り処理及び該読取った識別情報の復号化処理を実行するための識別情報管理プログラムを受信する機能を持つ。
【００１９】
ＡＰＬ実行部２２は、ＡＰＬ取得部２１で取得した識別情報管理プログラムを実行する機能を持ち、起動部２２１により展開実行される。ＡＰＬ実行部２２は、識別情報取得部２３１と、識別情報復号化部２３２と、識別情報記憶部２３３と、識別情報送信部２３４で構成され、ＡＰＬ機能部２３を、プログラム起動により制御するものとする。
識別情報読取部２３１は、符号化された識別情報を読み込む機能を持ち、識別情報復号化２３２は、識別情報読取部２３１が読み込んだ識別情報を復号化する機能を持つ。また、識別情報記憶部２３３は、識別情報復号化部２３２が復号化した識別情報を複数記憶する機能を持ち、識別情報送信部２３４は、識別情報記憶部２３３が記憶する複数の識別情報をトレースサーバ３に送信する機能を持ち、ＡＰＬ実行部の起動部２２１より展開実行されたプログラムにより一括送信可能とする。
ここでは、識別情報読取部２３１は、符号化された識別情報を画像情報として読み込み、識別情報復号化２３２は、識別情報読取部２３１が読み込んだ画像情報により、符号化された識別情報を復号化することになる。
【００２０】
図４、図５は、本発明の携帯情報端末の動作を説明するために引用したフローチャートであり、一部、本発明の識別情報管理プログラムの処理手順も示している。
以下、図４、図５に示すフローチャートを参照しながら図３に示す本発明実施形態の動作について詳細に説明する。
【００２１】
まず、携帯情報端末２のＡＰＬ取得部２１は、ＡＰＬサーバ１に接続してＷｅｂコンテンツをアクセスする（Ｓ４０１）。ここで、ＡＰＬサーバ１との間で認証が行なわれ（Ｓ４０２）、認証部２１１を介して登録済みの正規の携帯情報端末であることが認証された場合、ＡＰＬサーバ１から、本発明の識別情報管理プログラムがダウンロード可能とし、これをプログラム受信部２１２で受信する（Ｓ４０３）。
次に、医療廃棄物の運搬収集業者による携帯情報端末２を用いたＱＲコード読取操作が、ダウンロードしたアプリケーションの起動により可能となる（Ｓ４０４）。収集業者により、携帯情報端末２で起動したアプリケーションでＱＲコードの読取操作が開始される（Ｓ４０５“Ｙｅｓ”）。読取操作により、ＡＰＬ実行部２２の制御で、ＡＰＬ機能部２３の識別情報読取、識別情報記憶、識別情報復号化の処理が実行される（Ｓ４０６）。識別情報の読取りは識別情報読取部２３１が行ない、また、復号化は識別情報復号化部２３２により行われ、識別情報記憶部２３３に記憶する。ここで、記憶された復号化データは収集業者のアプリケーション操作により、識別情報送信部２３４を介して、トレースサーバ３へ一括送信される。
【００２２】
ここで、識別情報送信部２３４による識別情報送信処理について詳述する。ここでは、携帯情報端末２からのアクセスを想定しているため、パケット通信を考える。識別情報送信部２３４は、まず、これから送信するデータ数情報のみを送信する（Ｓ４０７）。そのときのデータ構成としては、ヘッダ＋「当回送信データ総数情報（Ｎ）」となる。
これを受信したトレースサーバ３は、情報Ｎによりこれから送信される有効データ数を把握し、受信許可応答を返す。一方、他の携帯情報端末２との通信により不許可（ビジー）となる場合は、待ちの応答を返す。受信許可応答を受信（Ｓ４０８“Ｙｅｓ”）した携帯情報端末２は、識別情報送信部２３４を介してデータ本体部として読取った固有ＩＤに送信データ番号を付加したデータ列の送信を行う（Ｓ４０８）。以上の動作は、識別情報送信部２３４が送信データ数のＮをカウントするまで繰り返される（Ｓ４０９）。
【００２３】
なお、データ間は、トレースサーバ３で区切り文字により判別が可能とする。すなわち、このときの送信データ構成は、ヘッダ＋「当回送信データ番号（ｘ）」＋「データ本体（固有ＩＤ、送信者ＩＤ、送信日時、収集箇所）」＋「区切り文字」、「当回送信データ番号（ｘ＋１）」＋「データ本体（固有ＩＤ、送信者ＩＤ、送信日時、収集箇所）」＋「区切り文字」……とする。
また、トレースサーバ３は、受信したデータに不備があった場合、該当送信データ番号を携帯情報端末２へ送信することで、指定したデータのみの再送要求が可能となる。携帯情報端末２は、再送要求があれば（図５、Ｓ４１１“Ｙｅｓ”）、指定された送信データのみの再送を行う（Ｓ４１２）。そして、次の読取対象の処理に移り、読取対象物がなくなるか（Ｓ４１３“無し”）、アプリケーションが強制終了される（Ｓ４１４“Ｙｅｓ”）まで上記したＳ４０５以降の処理を繰り返す。
【００２４】
図６、図７は、上記した携帯情報端末を用いて医療廃棄物の追跡管理を行う場合の、システム提供者（又は、得意先）と、得意先（又は、病院）と、収集運搬業者間の役割業務分担について、時系列的に纏めた図である。図６はその準備段階を、図７は収集報告の際の流れを示す。
図１、図２を用いて説明した内容との重複を回避しながら図４、図５に示す時系列を簡単に説明すれば以下のようになる。
【００２５】
すなわち、準備段階において、システム提供者（又は、得意先）は、まず、本発明の携帯情報端末２として使用される携帯電話を手配してコンテンツを提供（アプリケーションのダウンロード）すると共に（Ｓ５１５−Ｓ５１６）、その契約番号（電話番号）を得意先、又は得意先の病院に通知して書誌事項のデータベース登録を促す（Ｓ５１３−Ｓ５１４）。また、開発したアプリケーション（識別情報管理プログラム）を得意先、又は得意先の病院に設置管理されているトレースサーバ３にインストールする（Ｓ５１１、Ｓ５１２）。なお、携帯電話は、得意先、又は得意先である病院を経由して収集運搬業者に引き渡され（Ｓ５１７、Ｓ５１８、Ｓ５１９）、医療廃棄物の追跡管理のための準備が完了する。
なお、ＡＳＰ事業者もしくは病院では、追跡管理対象物に貼付する固体識別ＩＤラベルを作成し（Ｓ５２０）、トレースＤＢにその追跡管理対象物と固体識別ＩＤを紐付けて登録すると共に、作成したラベルに固体識別ＩＤを貼付するための作業が済んでいることとする（Ｓ５２１、Ｓ５２２）。
【００２６】
一方、収集報告において、病院側では、追跡対象の医療廃棄物を収集保管場所に集めて収集運搬業者に収集運搬を依頼する（Ｓ５２３）。
収集運搬業者は、携帯電話にダウンロード済みのアプリケーションを起動し（Ｓ５２４）、使用者認証を経て（Ｓ５２５）、携帯電話を操作して追跡対象物に貼付されている固体識別ＩＤを読取る。そして、携帯電話の記憶容量が許す範囲でその読取りデータを蓄積してトレースサーバ３へ送信する（Ｓ５２６、Ｓ５２７）。
得意先、又は得意先のクライアントである病院では、個体識別ＩＤを受信して受領通知を送信すると共に、受信データと一致するトレースＤＢのデータを検索して内容を更新する（Ｓ５２８）。収集運搬業者は、携帯電話で先の受領通知を受信して処理済の対象物を車輌に積み込み（Ｓ５２９）、依頼を受けた医療廃棄物の全てに対して上記の読取り操作を終えて配送先へ配送する（Ｓ５３０）。
【００２７】
以上説明のように本発明は、携帯情報端末が符号化された識別情報を読み込み、読み込んだ識別情報を復号化して複数記憶し、記憶した複数の識別情報を所定の識別情報管理装置に一括送信することで、安定的に識別情報の読取り処理結果を送信するものであり、また、識別情報読取りにかかる作業者の作業負荷の軽減をはかるもものである。
具体的には、携帯情報端末の容量が許す範囲で読取った情報を蓄積し、一括して時別情報管理装置へ送信することで、従来のように、読取り操作の都度アクセスおよび次操作要求を行う必要が無くなり、従って、作業負荷が大幅に軽減される。また、アクセスから通知完了までのネットワークへの継続した接続が不要となるため、通信費の節約も期待できる。更に、通信が途切れる頻度も減少し、信頼性の高い識別情報管理システムの構築が可能となる。
【００２８】
なお、上記した実施形態によれば、本発明を医療廃棄物の追跡管理に適用する例についてのみ説明したが、産業廃棄物にも、あるいは廃棄物に制限されることなく一般の運送物であっても同様に応用が可能である。また、これら運搬物にバーコードが印刷され、カメラ付き携帯電話で読取る例を示したが、他に、運搬物にＲＦ−ＩＤを埋め込み、近距離無線通信により読取ってもよく、あるいは通常のバーコードをバーコードリーダ付き携帯電話で読取るようにしても良い。
また、図３に示す、ＡＰＬ取得部２１を構成する認証部２１１と、プログラム受信部２１２、また、ＡＰＬ実行部２２を構成する識別情報読取り部２２１と、識別情報復号化部２２２と、識別情報記憶部２２３と、識別情報送信部２２４のそれぞれで実行される手順をコンピュータ読取り可能な記録媒体に記録し、この記録媒体に記録されたプログラムをコンピュータシステムに読込ませ、実行することによっても本発明を実現することができる。ここでいうコンピュータシステムとは、ＯＳや周辺機器等のハードウェアを含む。
【００２９】
また、「コンピュータシステム」は、ＷＷＷシステムを利用している場合であれば、ホームページ提供環境（あるいは表示環境）も含むものとする。
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【００３０】
以上、この発明の実施形態につき、図面を参照して詳述してきたが、具体的な構成はこの実施形態に限られるものではなく、この発明の要旨を逸脱しない範囲の設計等も含まれる。
【図面の簡単な説明】
【００３１】
【図１】本発明の携帯情報端末とプログラム配布装置の関係を説明するために引用した図である。
【図２】本発明の識別情報管理方法を実現するビジネスモデル、およびその利用主体間の関係を説明するために引用した図である。
【図３】本発明の携帯情報端末の内部構成を機能展開して示したブロック図である。
【図４】本発明の携帯情報端末の動作を説明するために引用したフローチャートである。
【図５】本発明の携帯情報端末の動作を説明するために引用したフローチャートである。
【図６】携帯情報端末を用いて医療廃棄物の追跡管理を行う場合の利用主体間の役割業務分担について、時系列的に纏めた図である。
【図７】携帯情報端末を用いて医療廃棄物の追跡管理を行う場合の利用主体間の役割業務分担について、時系列的に纏めた図である。
【符号の説明】
【００３２】
１…ＡＰＬサーバ、２…携帯情報端末、３…トレースサーバ、４、５、６…専用回線、２１…ＡＰＬ取得部、２２…ＡＰＬ実行部、２３…ＡＰＬ機能部、２１１…認証部、２１２…プログラム受信部、２２１…起動部、２２２待機部、２３１…識別情報読取り部、２３２…識別情報復号化部、２３３…識別情報記憶部、２３４…識別情報送信部
【図１】
0004669950.tif 000002
【図２】
0004669950.tif 000003
【図３】
0004669950.tif 000004
【図４】
0004669950.tif 000005
【図５】
0004669950.tif 000006
【図６】
0004669950.tif 000007
【図７】
0004669950.tif 000008